(57)【特許請求の範囲】
【請求項１】
袋に保冷剤を充填密閉した保冷剤充填部を上側シートと下側シートの端を密着接続して包み込んだ保冷具において、下側シートの下部に複数の冷凍保冷剤を収納できる収納部を構成する為の追加シートを密着接続するとともに冷凍保冷剤の出し入れ部を有することで、冷却されていない保冷具の保冷剤を冷却した冷凍保冷剤により冷却でき、冷却した予備の冷凍保冷剤の追加又は交換が行えることを特徴とする保冷具。
【請求項２】
前記追加シートの下部に下側放熱防止空間を構成するための下側放熱防止カバーを密着接続したことを特徴とする、請求項１記載の保冷具。
【請求項３】
前記下側放熱防止空間に断熱材を挿入したことを特徴とする、請求項２記載の保冷具。
【請求項４】
前記上側シートの上部に上側放熱防止空間を構成するための上側放熱防止カバーを密着接続したことを特徴とする、請求項１から３のいずれか１項に記載の保冷具。
【請求項５】
前記上側放熱防止空間に断熱材を挿入したことを特徴とする、請求項４記載の保冷具。
【請求項６】
前記上側放熱防止カバーに開口部を設け、開口部の縁を前記上側シートに密着接続したことを特徴とする、請求項４または５記載の保冷具。
【請求項７】
前記保冷剤充填部の袋の上側と下側を密着接続し保冷剤を分割したことを特徴とする、請求項１から６のいずれか１項に記載の保冷具。
【請求項８】
請求項１から７のいずれか１項に記載の保冷具を、複数個帯状に連ねたことを特徴とする保冷具。
【発明の詳細な説明】
【技術分野】
【０００１】
本発明は、疾病時の患部冷却によく用いられる保冷具であり、特に保冷剤の冷却時間を短くし、冷凍庫等の無駄なスペースの発生を抑えるものである。
【背景技術】
【０００２】
従来の保冷バンド及び保冷枕等の保冷具は軟質合成樹脂シートの内装に保冷剤が充填されヒートシールによる密封の状態にあって、その充填された保冷剤を包むように外装材でヒートシールされた二重構造よりなり、保冷剤による冷却時間を延ばすために保冷剤の充填量を多くする方法が取られ、更に冷却時間を延ばすために発泡シートと保冷剤をヒートシールで封入して保冷効果を高めるものもある（例えば、特許文献１参照）。
【０００３】
従来の保冷枕を吸水シートで覆い、その下側にクッション材を設けて一つの袋に入れたものもある（例えば、特許文献２参照）。
【０００４】
従来の保冷枕と発泡粒状体とが相互に混じり合わないように一つの入れ物に入れるものもある（例えば、特許文献３参照）。
【０００５】
水やその他の冷却物質を密閉した小さなカプセル多数を変形可能な袋に入れたものもある（例えば、特許文献４参照）。
【０００６】
水を密封した氷嚢と冷却嚢を納める収納袋を分離し、冷蔵する冷却嚢を必要時に収納袋に収納使用するものもある（例えば、特許文献５参照）。
【０００７】
潜熱蓄熱剤が内包されたマイクロカプセルを水溶性高分子の水溶液よりなるゲルに分散させ、これを軟質合成樹脂シートよりなる袋状体内に封入。このマイクロカプセルを分散させたウレタン等のフォーム材を枕等の形状にして織布製の袋などに収納して使用するものもある（例えば、特許文献６参照）。
【先行技術文献】
【特許文献】
【０００８】
【特許文献１】特開２００１―２１２１６８号  公報
【特許文献２】特開平８１３１３０８号  公報
【特許文献３】特開２００１―６１８８２号  公報
【特許文献４】特開２００２―３３０９８６号  公報
【特許文献５】特開２００１―３０９９３７号  公報
【特許文献６】特開２００１―２９９８０１号  公報
【発明の概要】
【発明が解決しようとする課題】
【０００９】
上述のような従来の保冷具は以下の課題を有する。
保冷剤の冷却は保冷剤を外装材で包み込んだ保冷具そのものを冷蔵庫の冷凍庫等に入れて行っている。そのため保冷剤が大きい場合は、冷却に時間を要するだけでなく冷凍庫のスペース中に占める割合が大きくなり無駄なスペースが発生しやすい。
【課題を解決するための手段】
【００１０】
前記課題を解決するために、本発明は以下の手段を有する。
【００１１】
袋に保冷剤を充填密閉した保冷剤充填部を上側シートと下側シートの端を密着接続して包み込んだ保冷具において、下側シートの下部に冷凍保冷剤の収納部を構成する為の追加シートを密着接続し、冷凍保冷剤の出し入れ部を有したことを特徴とする。
【００１２】
前記追加シートの下部に下側放熱防止空間を構成するための下側放熱防止カバーを密着接続したことを特徴とする。
【００１３】
前記下側放熱防止空間に断熱材を挿入したことを特徴とする。
【００１４】
前記上側シートの上部に上側放熱防止空間を構成するための上側放熱防止カバーを密着接続したことを特徴とする。
【００１５】
前記上側放熱防止空間に断熱材を挿入したことを特徴とする。
【００１６】
前記上側放熱防止カバーに開口部を設け、開口部の縁を前記上側シートに密着接続したことを特徴とする。
【００１７】
前記保冷剤充填部の袋の上側と下側を密着接続し保冷剤を分割したことを特徴とする。
【００１８】
前記保冷具を複数個帯状に連ねたことを特徴とする。
【発明の効果】
【００１９】
本発明の請求項1に係る保冷具によれば、冷凍保冷剤の収納部、冷凍保冷剤の出し入れ
部を有したことにより、保冷具を冷凍庫等に入れなくても冷凍保冷剤で保冷剤を冷却できる。冷凍保冷剤は冷凍庫等で冷却するが、小さい形状にすれば保冷具そのものを冷却するよりも時間を短くでき、且つ冷凍庫内の収納をフレキシブルに行えるため無駄なスペースが発生しにくくなる。
【００２０】
保冷具の使用中に予備の冷凍保冷剤を冷却しておけば、僅かな時間で冷凍保冷剤の追加
又は交換が行え、保冷具を連続して使用できる。冷凍保冷剤の個数を変えることで、保冷具の冷却機能を調整できる。
【００２１】
本発明の請求項２に係る保冷具によれば、冷凍保冷剤の温度上昇を防止できるため、保
冷具の冷却機能の低下を妨げられる。
【００２２】
本発明の請求項３に係る保冷具によれば、更に冷凍保冷剤の温度上昇を防止できるため、
保冷具の冷却機能の低下を妨げられる。
【００２３】
本発明の請求項４に係る保冷具によれば、冷凍保冷剤の温度上昇を防止できるため、更
に保冷具の冷却機能の低下を妨げられる。
【００２４】
本発明の請求項５に係る保冷具によれば、更に冷凍保冷剤の温度上昇を防止できるため、
保冷具の冷却機能の低下を妨げられる。
【００２５】
本発明の請求項６に係る保冷具によれば、開口部に後頭部を接することで、枕として使
用することが出来る。
【００２６】
本発明の請求項７に係る保冷具によれば、保冷剤を複数に分割することで、保冷剤充填
部内の保冷剤分布をより均等に出来る。
【００２７】
本発明の請求項８に係る保冷具によれば、前記保冷具を複数個帯状に連ねたことにより保冷具を簡易に身辺に装着することが出来る。
【００２８】
以上から、本発明に係る保冷具によれば、保冷剤の冷却時間を短くし、冷凍庫等の無駄
なスペースも少なくできる。かつ、保冷具の連続使用、冷却機能の調整、冷却機能低下防止、保冷剤分布の均等化が出来る。これらの機能をバンド形状のものに加えて枕形状のものでも実現できる。
【図面の簡単な説明】
【００２９】
【図１】本発明の請求項１に係る保冷具の断面図である。
【図２】本発明の請求項１に係る保冷具の斜視図である。
【図３】本発明の請求項２に係る保冷具の断面図である。
【図４】本発明の請求項３に係る保冷具の断面図である。
【図５】本発明の請求項４に係る保冷具の断面図である。
【図６】本発明の請求項４に係る保冷具の別の実施形態の断面図である。
【図７】本発明の請求項５に係る保冷具の断面図である。
【図８】本発明の請求項５に係る保冷具の別の実施形態の断面図である。
【図９】本発明の請求項６に係る保冷具の断面図である。
【図１０】本発明の請求項６に係る保冷具の斜視図である。
【図１１】本発明の請求項６に係る保冷具の別の実施形態の断面図である。
【図１２】本発明の請求項６に係る保冷具の別の実施形態の断面図である。
【図１３】本発明の請求項６に係る保冷具の別の実施形態の断面図である。
【図１４】本発明の請求項７に係る保冷具の断面図である。
【図１５】本発明の請求項７に係る保冷具の斜視図である。
【図１６】本発明の請求項７に係る保冷具の別の実施形態の断面図である。
【図１７】本発明の請求項７に係る保冷具の別の実施形態の断面図である。
【図１８】本発明の請求項７に係る保冷具の別の実施形態の断面図である。
【図１９】本発明の請求項７に係る保冷具の別の実施形態の断面図である。
【図２０】本発明の請求項７に係る保冷具の別の実施形態の断面図である。
【図２１】本発明の請求項７に係る保冷具の別の実施形態の斜視図である。
【図２２】本発明の請求項７に係る保冷具の別の実施形態の断面図である。
【図２３】本発明の請求項７に係る保冷具の別の実施形態の断面図である。
【図２４】本発明の請求項７に係る保冷具の斜視図である。
【図２５】本発明の請求項８に係る保冷具の断面図である。
【図２６】本発明の請求項８に係る保冷具の正面図である。
【発明を実施するための形態】
【００３０】
以下、本発明の実施の形態を図１〜図２４に基づいて説明する。
【００３１】
請求項１に係る発明を図1、２を用いて説明する。袋１ａに充填密閉２した保冷剤充填
部１を上側シート３、下側シート４の端を密着接続２して包み込んだ保冷具に於いて、下側シート４下部に冷凍保冷剤５の収納部６を構成するための追加シート７を密着接続２し、冷凍保冷剤５の出し入れ部８を有した構造である。上記から請求項１に係る発明によれば冷凍保冷剤の収納部、冷凍保冷剤の出し入れ部を有したことにより、保冷具を冷凍庫等に入れなくても冷凍保冷剤で保冷剤を冷却でき、冷凍保冷剤は冷凍庫等で冷却するが、小さい形状にすれば保冷具そのものを冷却するよりも時間を短くでき、且つ冷凍庫内の収納をフレキシブルに行えるため無駄なスペースが発生しにくくなると共に、保冷具の使用中に予備の冷凍保冷剤を冷却しておけば、僅かな時間で冷凍保冷剤の追加又は交換が行え、保冷具を連続して使用でき、冷凍保冷剤の個数を変えることで、保冷具の冷却機能を調整できる効果を有する。
【００３２】
請求項２に係る発明を図３を用いて説明する。前記追加シート７の下部に下側放熱防止
空間９を構成するための下側放熱防止カバー１０を密着接続２した構造を示す。上記から請求項２に係る発明によれば、冷凍保冷剤の温度上昇を防止できるため、保冷具の冷却機能の低下を妨げられる効果を有する。
【００３３】
請求項３に係る発明を図４を用いて説明する。前記下側放熱防止空間９に断熱材１１を
挿入した構造を示す。上記から請求項３に係る発明によれば、更に冷凍保冷剤の温度上昇を防止できるため、保冷具の冷却機能の低下を妨げられる効果を有する。
【００３４】
請求項４に係る発明を図５，６を用いて説明する。図５は前記前記上側シート３の上部
に上側放熱防止空間１２を構成するための上側放熱防止カバー１３を有し、図６において、図５と図４の特徴を重ね合わせた構造を示す。上記から請求項４に係る発明によれば、上側放熱防止カバー１３を有し、かつ、下側放熱防止空間９に断熱材１１を挿入した構造より、保冷剤の温度上昇を防止できるため、更に保冷具の冷却機能の低下を妨げられる効果を有する。
【００３５】
請求項５に係る発明を図７，８を用いて説明する。図７は前記上側放熱防止空間１２に断熱材１１を挿入したことを特徴とし、図８において、図７と図４の特徴を重ね合わせた構造を示す。上記から請求項５に係る発明によれば、上側放熱防止空間１２及び下側放熱防止空間９に断熱材１１を挿入したことにより保冷剤の温度上昇を防止できるため、更に保冷具の冷却機能の低下を妨げられる効果を有する。
【００３６】
請求項６に係る発明を図９、１０，１１、１２，１３を用いて説明する。図９、１０は
前記上側放熱防止カバー１３に開口部１４を設け、開口部１４の縁を前記上側シート３に密着接続２した構造を示し、図１１は図９、１０に図４の特徴を重ね合わせ、又、図１２は図9に図４の特徴を重ね合わせ、図13は図１２と図１１の特徴を重ね合わせる構造を示す。上記から請求項６に係る発明によれば、開口部に後頭部等を接することで枕として使用することが出来、かつ、上下側放熱防止空間１２，９に断熱材１１を挿入したことにより冷凍保冷剤及び保冷剤の温度上昇を防止できるため、保冷具の冷却機能の低下を妨げられる効果を有する。
【００３７】
請求項７に係る発明を図１４〜２４を用いて説明する。図１４、１５、２４は前記保冷
剤充填部１の袋１ａの上側と下側を密着接続２し、保冷剤１ｂを用途に応じて、縦方向及び横方向に分割したことを特徴とし、図１６は図１４と図３を、図17は図16と図４を、図1８は図1４と図５を、図1９は図1４と図７を、図２０は図1９と図１７の特徴を重ね合わせる構造を示す。上記から請求項７に係る発明によれば、保冷剤充填部内の保冷剤分布をより均等に出来る効果を有し、かつ、上下側放熱防止空間１２，９に断熱材１１を挿入したことにより冷凍保冷剤及び保冷剤の温度上昇を防止できるため、保冷具の冷却機能の低下を妨げられる効果を有する。図21、２２は図14と図９を、図23は図14と図１３の特徴を重ね合わせる構造を示す。上記から保冷剤充填部内の保冷剤分布をより均等に出来る効果を有し、開口部に後頭部等を接することで枕として使用することが出来、かつ、上下側放熱防止空間１２，９に断熱材１１を挿入したことにより冷凍保冷剤及び保冷剤の温度上昇を防止できるため、保冷具の冷却機能の低下を妨げられる効果を有する。
【００３８】
請求項８に係る発明を図２５，２６を用いて説明する。図２５，２６は前記図４の保冷具を繋ぎ部１５を中心に帯状に両端に連ね、繋ぎ部１５を首、肩にかけ、左右のバランスを保つために両端の保冷具の位置合わせを行う位置合わせ部１６を持つ構造を示す。尚、位置合わせ部１６としては例えばマジックテープ（登録商標）のようなものがある。上記から請求項８に係る発明によれば、保冷具を簡易に身辺に装着し、保冷具の入れ替え用の冷凍保冷剤を必要に応じた数量を簡易な断熱袋にて持ち歩き、必要に応じて保冷具の冷凍保冷剤の出し入れ部より冷凍保冷剤を入れ替えて外出先での保冷具としての使用に対して十分な機能を果たし、クールビズの目的でも使用出来る。
【００３９】
保冷具の形状を細長くすれば、病院での使用の他、一般家庭用で真夏の鉢巻きとか、肩
掛けとかの暑さしのぎの目的でも使用出来る。
【符号の説明】
【００４０】
１    保冷剤充填部
１ａ  袋
１ｂ  保冷剤
２    ヒートシール
３    上側シート
４    下側シート
５    冷凍保冷剤
６    冷凍保冷剤の収納部
７    追加シート
８    冷凍保冷剤の出し入れ部
９    下側放熱防止空間
１０  下側放熱防止カバー
１１  断熱材
１２  上側放熱防止空間
１３  上側放熱防止カバー
１４  開口部
１５  繋ぎ部
１６  位置合わせ部
【要約】 
【課題】  保冷剤の冷却は保冷剤を外装材で包み込んだ保冷具そのものを冷蔵庫の冷凍庫等に入れて行っている。そのため保冷剤が大きい場合は、冷却に時間を要するだけでなく冷凍庫のスペース中に占める割合が大きくなり無駄なスペースが発生しやすい。
【解決手段】  保冷剤１ｂを充填密閉した保冷剤充填部１の上側シート３，下側シート４からなり、下側シート４の下部に保冷剤充填部１の保冷剤１ｂを冷却するための冷凍保冷剤収納部６を設けて、冷凍保冷剤５の出し入れを可能とするために、保冷剤充填部との３辺密着接続２、１辺を冷凍保冷剤５の出し入れ部８を持つ構造と、保冷剤の上側及び下側は保冷剤の放熱を防ぐための空間及び断熱材層の密着接続した構造を持つ保冷具。
【選択図】図１【図１】
0005387931.tif 000002
【図２】
0005387931.tif 000003
【図３】
0005387931.tif 000004
【図４】
0005387931.tif 000005
【図５】
0005387931.tif 000006
【図６】
0005387931.tif 000007
【図７】
0005387931.tif 000008
【図８】
0005387931.tif 000009
【図９】
0005387931.tif 000010
【図１０】
0005387931.tif 000011
【図１１】
0005387931.tif 000012
【図１２】
0005387931.tif 000013
【図１３】
0005387931.tif 000014
【図１４】
0005387931.tif 000015
【図１５】
0005387931.tif 000016
【図１６】
0005387931.tif 000017
【図１７】
0005387931.tif 000018
【図１８】
0005387931.tif 000019
【図１９】
0005387931.tif 000020
【図２０】
0005387931.tif 000021
【図２１】
0005387931.tif 000022
【図２２】
0005387931.tif 000023
【図２３】
0005387931.tif 000024
【図２４】
0005387931.tif 000025
【図２５】
0005387931.tif 000026
【図２６】
0005387931.tif 000027